(57)【特許請求の範囲】
【請求項１】
前端側に開口部を有しかつこの開口部の内側に折返された折曲げ縁を有する封筒形の外ケースと、
前記開口部を通じて前記外ケースに出し入れされかつディスクを乗せるディスク収容部を有するトレイとを具備し、
前記トレイの前端側には該トレイの前部を前記ディスク収容部側に折返しかつ該トレイを前記外ケースに挿入する際に開口部に差し込まれる折返し舌片を有しかつ、
前記トレイの後端側には前記折返し舌片に向かって切り起こされかつ前記ディスクの先端部の位置を規制可能でしかも該トレイを前記外ケースから引き出す途中において前記折曲げ縁に引っかかることによってトレイがそれ以上抜け出ることを阻止するストッパ片を形成し、
前記外ケースに隣接して該外ケースに折り重ねることのできる封筒形の付属ケースを設け、この付属ケースに前記折返し舌片を挿入するための開口部を形成し、
前記外ケースと前記付属ケースとの互いに重なり合う内側の開口縁を、それぞれ外側の開口縁よりも前記折返し舌片の板厚以上の寸法分だけ内側に引っ込む形状としたことを特徴とするディスク用ケース。
【発明の詳細な説明】
【０００１】
【発明の属する技術分野】
この発明は、例えばＣＤ（φ１２ｃｍのコンパクトディスク）や、φ８ｃｍのいわゆるＣＤシングル、ＤＶＤ（Digital Video Disk）等のメディアディスクの収納に用いるディスク用ケースに関する。
【０００２】
【従来の技術】
例えばＣＤ等のメディアディスクを収納するためのケースとして、従来より、プラスチック製の下ケースと上ケースとをヒンジ軸によって開閉可能に連結したプラスチックケースが一般に使用されている。音楽や読み物類などに使われるディスク用ケースは、他商品との個性化を図るために特徴のあるデザインのものが望まれるが、前記プラスチックケースの場合、形状やデザイン等に個性をもたせるために特殊なケースを製作すると、その成形用の金型に多大なコストがかかってしまう。
【０００３】
【発明が解決しようとする課題】
そこでケースの低コスト化を図るために、箱形の紙製ケースにトレイを出し入れ可能に収納したものや、単なる封筒形の紙製ケースにディスクを入れることも考えられた。しかし箱形の紙製ケースは、その製造の際に折曲げが必要な箇所や糊しろなどが数多く存在し、しかも立体的な形状を保ったまま各々の糊しろを糊付けする必要があるため製造に手間と時間がかかるなど、コストがやや高くなるという問題があった。一方、単なる封筒形の紙製ケースの場合は、ケースの開口からディスクが落ちやすく、ディスクが損傷する可能性が大きい。
【０００４】
従って本発明の目的は、コストをさらに下げることができ、しかもディスクを確実に保持できるようなディスク用ケースを提供することにある。
【０００５】
【課題を解決するための手段】
前記目的を果たすための本発明のディスク用ケースは、請求項１に記載したように構成される。本発明のディスク用ケースにおいて、ディスクはトレイのディスク収容部に乗せられた状態でトレイごと外ケースの内部に収納される。ディスクを取出すためにトレイを外ケースから引き出すと、トレイのストッパ片の先端が外ケースの内面に接しながら外ケースの開口部に向って移動し、トレイがある程度引き出された時点で、ストッパ片が外ケースの折曲げ縁の裏側に進入するとともに、ストッパ片が折曲げ縁に引っかかるようになって、トレイがそれ以上引き出せなくなる。
【０００６】
このためトレイが外ケースから抜け落ちることが阻止され、しかもトレイ上のディスクはトレイの折返し舌片によって脱落が阻止される。これら外ケースとトレイは、それぞれ例えば厚紙によって製作することができ、紙の表面等にディスクの記録内容に応じた美しいデザインの絵柄や文字等を印刷することも容易である。しかもトレイの一か所にストッパ片を設ければよいから、トレイを外ケースに出し入れする際の摩擦抵抗が少なく、トレイの出し入れがスムーズである。
【０００７】
この発明は、外ケースに隣接して付属ケースを設け、この付属ケースに前記折返し舌片を挿入するための開口部を設け、外ケースと付属ケースとの互いに重なり合う内側の開口縁を、それぞれ外側の開口縁よりも前記折返し舌片の板厚以上の寸法分だけ内側に引っ込む形状としている。
【０００８】
【発明の実施の形態】
以下に本発明の第１の実施形態のディスク用ケース１０について、図１〜図７を参照して説明する。
図１に示すディスク用ケース１０は、その前端側に開口部１１を有する封筒形の紙製の外ケース１２と、開口部１１を通じて外ケース１２に出し入れされる紙製のトレイ１３と、外ケース１２の背１４を介して外ケース１２に取付けられた封筒形の紙製の付属ケース１５を備えている。付属ケース１５の前端側に開口部１６が形成されている。
【０００９】
外ケース１２とトレイ１３および付属ケース１５の材料は、厚紙以外に例えばＰＥＴ（ポリエチレンテレフタレート）あるいは塩化ビニール等のプラスチックシートをはじめとして、ある程度の剛性を有しかつ折曲げ可能なものであれば用いることができる。
【００１０】
この実施形態の外ケース１２と付属ケース１５を構成する厚紙２０は、図２に展開して示すように形成されている。この厚紙２０は、外ケース１２を構成する部分２１と、付属ケース１５を構成する部分２２とを有し、両部分２１，２２が背１４を介して互いにつながっている。背１４の外面をはじめとしてこのケース１０の目にふれる面には、ケース１０を商品陳列棚などに並べたときにディスクＤの内容がわかるように、ディスプレイに適した文字や絵柄等が美しく印刷される。
【００１１】
厚紙２０の外ケース１２を構成する部分２１は、折り目線２５を境に二つ折りされる外板２６および裏板２７と、外板２６の側部に設けた折り目線３０を境に折曲げる糊しろ３１と、外板２６の後端に設けた背１４と、裏板２７の前端すなわち開口部１１側に設けた折り目線３２を境として折曲げる折曲げ縁３３を有している。これらの折り目線２５，３０，３２をはじめとして、この実施形態で示す各折り目線は、厚紙２０の折曲げを容易にするために、例えばミシン目あるいはプレスによる溝成形等によって形成されている。
【００１２】
糊しろ３１を外板２６の内面側に折返し、かつ、折曲げ縁３３を裏板２７の内側（すなわち開口部１１の内側）に折返す。そして折り目線２５を境に外板２６と裏板２７を折重ね、糊しろ３１を裏板２７の内面に糊付けすることにより、開口部１１を有する封筒形の外ケース１２が出来上がる。
【００１３】
厚紙２０の付属ケース１５を構成する部分２２は、折り目線４０を境に二つ折りされる外板４１および裏板４２と、外板４１の側部に設けた折り目線４３を境に折曲げる糊しろ４４を有している。糊しろ４４を外板４１の内面側に折返し、折り目線４０を境に外板４１と裏板４２を折重ね、糊しろ４４を裏板４２の内面に糊付けすることにより、開口部１６を有する封筒形の付属ケース１５が出来上がる。
【００１４】
なお外ケース１２と付属ケース１５のそれぞれの開口部１１，１６の縁には、トレイ１３を外ケース１２から引き出す際にトレイ１３の端を指先でつまみやすくするために、互いに折重ねたときに対応する位置に切欠き４５，４６が形成されている。
【００１５】
トレイ１３の一例は、厚紙によって図３に示すような形状に形成されている。このトレイ１３は、ストッパ片５０を有する平板状のトレイ本体部５１と、折り目線５２を境に折曲げることのできるトレイ前半部５３と、トレイ前半部５３の前側に設けた折り目線５４を境にストッパ片５０の方向に折返される折返し舌片５５とを備えている。
【００１６】
図１等に示すようにトレイ１３を外ケース１２から引き出した状態において、前記折り目線５２を境にトレイ前半部５３を曲げることにより、ディスクＤの出し入れを容易に行なうことができる。図４あるいは図５に示すように、トレイ前半部５３の両側縁５３ａの前側部分は、トレイ１３を外ケース１２に出し入れする際の摩擦抵抗を減らすために、ΔＷ（０．５ｍｍ〜数ｍｍ程度）だけトレイ本体部５１の幅よりも幅を狭くしている。
【００１７】
ストッパ片５０は、トレイ本体部５１の一部分を、折り目線６０を境にトレイ１３の前方すなわち折返し舌片５５の方向に斜めに切り起こされており、トレイ１３を外ケース１２に挿入したとき、ストッパ片５０の先端５０ａが外ケース１２の内面にある程度の弾性をもって摺接するようにしている。ストッパ片５０の折り目線６０と折返し舌片５５の折り目線５４との間が、ディスクＤを乗せるためのディスク収容部６２として使われる。
【００１８】
ストッパ片５０の折り目線６０の中央部分に、トレイ１３の幅方向に沿うスリット６１が形成されている。図５等に示すようにディスクＤの先端部Ｄ１をスリット６１に差し込むようにすれば、ディスク収容部６２上においてディスクＤがトレイ１３の幅方向にある程度位置決めされた状態で、ディスクＤの挿入方向の位置も決まるため、ディスクＤを安定に保持することができる。
【００１９】
すなわちこのストッパ片５０は、ディスクＤの挿入方向の位置を規制する機能を担っている。しかもこのストッパ片５０は、図６に示すようにトレイ１３を外ケース１２から引き出す途中において、外ケース１２の折曲げ縁３３の先端３３ａに引っかかることにより、トレイ１３がそれ以上引き出されることを阻止する機能も担っている。
【００２０】
折返し舌片５５は、トレイ１３の前部をディスク収容部６２側に折返したもので、トレイ１３を外ケース１２に挿入する際に、図４に矢印Ａで示すように付属ケース１５の開口部１６に差し込むようにしている。ただし折返し舌片５５を外ケース１２の開口部１１に挿入してもよいし、あるいは外ケース１２の裏板２７に形成したスリット状の開口部（外ケース１２の幅方向に沿うスリット）に折返し舌片５５の先端部分を挿入するようにしてもよい。
【００２１】
この実施形態の場合、外ケース１２と付属ケース１５とを閉じたときに互いに重なり合う裏板２７，４２の開口縁２７ａ，４２ａを、外板２６，４１の開口縁２６ａ，４１ａよりも折返し舌片５５の板厚以上の寸法分Δｔ（図２に示す）だけ内側に引っ込んだ形状としている。このように外側の開口縁２６ａ，４１ａに対して内側の開口縁２７ａ，４２ａの位置を僅かにずらす（退避させる）ことにより、折返し舌片５５を付属ケース１５の開口部１６に差し込んだときに、折返し舌片５５の折り目線５４付近の外面が外ケース１２と付属ケース１５の外側の開口縁２６ａ，４１ａの位置と揃うようになり、開口部１１，１６まわりの外観が良くなる。
【００２２】
付属ケース１５は、例えば歌詞カードや案内書等の付録を開口部１６から挿入することのできるポケットとして機能する。ただし外ケース１２と付属ケース１５との間に付録を収容可能なポケットを別途に設けてもよい。
【００２３】
次に、この実施形態のディスク用ケース１０の作用について説明する。
図１に示すようにトレイ１３を外ケース１２から引き出し、ディスク収容部６２にディスクＤを収容する。このディスクＤは、好ましくは不織布等からなる保護袋６５（図６に一部を示す）に入れた状態でディスク収容部６２に入れるとよい。
【００２４】
このようにトレイ１３を外ケース１２から引き出すと、図５および図６に示すようにトレイ１３のストッパ片５０が外ケース１２の折曲げ縁３３の先端３３ａに当接するため、それ以上トレイ１３が引き出されることが阻止される。
【００２５】
ディスク収容部６２にディスクＤを収容し、また、必要に応じて付録を付属ケース１５等に収容したのち、外ケース１２と付属ケース１５を重ね、折返し舌片５５を付属ケース１５の開口部１６に差し込みながら、トレイ１３を外ケース１２に挿入することにより、図７に示すようにトレイ１３と一体にディスクＤが外ケース１２内に収納される。こうして外ケース１２にトレイ１３が挿入された状態では、ディスクＤの先端部Ｄ１の位置がストッパ片５０によって規制されるとともに、外ケース１２の内面およびトレイ１３によってディスクＤの動き止めがなされるため、ディスクＤが外ケース１２内でむやみに動くことが阻止され、ディスクＤが具合良く収まる。
【００２６】
ディスクＤを取出すためにトレイ１３を外ケース１２から引き出すと、トレイ１３のストッパ片５０の先端５０ａが外ケース１２の内面に接しながら外ケース１２の開口部１１に向かって移動する。そしてトレイ１３がある程度引き出された時点で、図６に示すようにストッパ片５０が折曲げ縁３３の裏側に進入し、ストッパ片５０と折曲げ縁３３とが係合することにより、トレイ１３がそれ以上引き出せなくなる。このためトレイ１３やディスクＤが外ケース１２から不用意に抜け落ちてしまうことが防止される。
【００２７】
なお、図８と図９に示す第２の実施形態のＣＤシングル用ケース１０Ａのように、前記実施形態よりも小形で縦長の外ケース１２にトレイ１３を出し入れ可能に設けるとともに、外ケース１２の後端に設けた背１４を介して付属ケース１５を設けるようにしてもよい。折返し舌片５５は、トレイ１３を外ケース１２に挿入する際に付属ケース１５の開口部１６に差し込んでもよいし、外ケース１２の開口部１１に差し込むようにしてもよい。あるいはこの折返し舌片５５を、外ケース１２に形成したスリット状の開口部７０に差し込むようにしてもよい。
【００２８】
この第２の実施形態において、外ケース１２とトレイ１３および付属ケース１５の基本的な構成と作用は第１の実施形態（図１〜図７）と同様であるから、両者に共通の箇所について第１の実施形態と共通の符号を付して説明は省略する。この第２の実施形態においても、第１の実施形態と同様の効果を奏することができる。
【００２９】
図１０はこの発明の第３の実施形態のディスク用ケース１０Ｂを示している。この実施形態は、外ケース１２に隣接して設ける付属ケースの一例として、ビデオテープを収納するためのビデオパッケージ８０を設けている。ビデオパッケージ８０と外ケース１２は、背１４を介して互いにつながっている。この第３の実施形態の外ケース１２とトレイ１３の基本的な構成と作用は第１の実施形態（図１〜図７）と同様であるから、両者に共通の箇所について第１の実施形態と共通の符号を付して説明は省略する。この第３の実施形態においても、第１の実施形態と同様の効果を奏することができる。
【００３０】
要するにこの発明のディスク用ケースは、収納すべきメディアディスクに応じた形状や寸法の外ケースとトレイ等を構成すればよく、外ケースやトレイの材質および形状等の具体的な態様、付属ケースの有無、あるいは折曲げ縁や折返し舌片、ストッパ片をはじめとして、この発明を構成する各要素を適宜に変形して実施できることは言うまでもない。
【００３１】
【発明の効果】
請求項１に記載した発明によれば、封筒形の外ケースと形状の簡単なトレイはいずれも厚紙等の低コストな素材によって作ることができ、封筒形の外ケースは箱形のものに比べて折曲げ箇所や糊しろも少なくてすむ。本発明の外ケースは、二つ折りされる平面的な形状の厚紙の端を糊付けすることによって形成されるため、箱形の紙製ケースに比較して製造が容易でしかも能率良く糊付け作業が行なえるなど、コストを削減できる。そしてこの外ケースとトレイの組合わせは、内部に収容されたディスクが不用意に外ケースから出てしまうことを防止でき、ディスクを安全に収納できる。
【００３２】
本発明によれば、前記外ケースに隣接して該外ケースに折り重ねることのできる封筒形の付属ケースを設け、この付属ケースに前記折返し舌片を挿入するための開口部を形成したことにより、ディスクに付属する付録等を付属ケースに収納でき、この付属ケースの開口部に前記折返し舌片を差し込むようにすれば、外ケースと付属ケースを閉じて一体化させた状態で保持しておくことができる。また前記外ケースと前記付属ケースとの互いに重なり合う内側の開口縁を、それぞれ外側の開口縁よりも前記折返し舌片の板厚以上の寸法分だけ内側に引っ込む形状としたことにより、折返し舌片を付属ケースの開口部に差し込んだ状態において、折返し舌片の折り目線付近の外面が外ケースと付属ケースの外側の開口縁の位置と揃うため、開口部まわりの外観が良くなる。
【図面の簡単な説明】
【図１】  本発明の第１の実施形態を示すディスク用ケースのトレイを外ケースから引き出した状態の斜視図。
【図２】  図１に示されたディスク用ケースの外ケースを展開した状態の平面図。
【図３】  図１に示されたディスク用ケースのトレイの斜視図。
【図４】  図１に示されたディスク用ケースのトレイを外ケースに挿入する直前の状態の斜視図。
【図５】  図１に示されたディスク用ケースの一部の平面図。
【図６】  図５中のＦ６−Ｆ６線に沿う断面図。
【図７】  図１に示されたディスク用ケースのトレイを外ケースに挿入した状態の斜視図。
【図８】  本発明の第２の実施形態を示すディスク用ケースの斜視図。
【図９】  図８に示されたディスク用ケースのトレイを外ケースから引き出した状態の斜視図。
【図１０】  本発明の第３の実施形態を示すビデオパッケージ付きケースの斜視図。
【符号の説明】
１０，１０Ａ，１０Ｂ…ディスク用ケース
１１…開口部
１２…外ケース
１３…トレイ
１５…付属ケース
１６…開口部
２６ａ，４１ａ…外側の開口縁
２７ａ，４２ａ…内側の開口縁
３３…折曲げ縁
５０…ストッパ片
５５…折返し舌片
６２…ディスク収容部
Ｄ…ディスク
【図１】
0004028133.tif 000002
【図２】
0004028133.tif 000003
【図３】
0004028133.tif 000004
【図４】
0004028133.tif 000005
【図５】
0004028133.tif 000006
【図６】
0004028133.tif 000007
【図７】
0004028133.tif 000008
【図８】
0004028133.tif 000009
【図９】
0004028133.tif 000010
【図１０】
0004028133.tif 000011